(57)【要約】【課題】ユーザによる被検者の容体の正確な把握を支援する。【解決手段】プロセッサは、第一時間幅に基づいて被検者のＳｐＯ２の第一時間平均値Ａ１を算出し、前記第一時間幅と異なる第二時間幅に基づいてＳｐＯ２の第二時間平均値Ａ２を算出する。第一時間平均値Ａ１の経時変化を示す第一グラフＧ１と第二時間平均値Ａ２の経時変化を示す第二グラフＧ２が、ディスプレイ１３に表示される。【選択図】図３
2020014665.tif 000002
【特許請求の範囲】
【請求項１】
第一時間幅に基づいて被検者の生体情報の第一時間平均値を算出し、前記第一時間幅と異なる第二時間幅に基づいて当該生体情報の第二時間平均値を算出するプロセッサと、
前記第一時間平均値の経時変化を示す第一グラフと前記第二時間平均値の経時変化を示す第二グラフを表示するディスプレイと、
を備えている、
生体情報表示装置。
【請求項２】
前記第一グラフと前記第二グラフの間に位置する領域が、前記ディスプレイの背景色と異なる色で表示される、
請求項１に記載の生体情報表示装置。
【請求項３】
被検者の生体情報を取得するステップと、
第一時間幅に基づいて前記生体情報の第一時間平均値を算出するステップと、
前記第一時間幅と異なる第二時間幅に基づいて前記生体情報の第二時間平均値を算出するステップと、
前記第一時間平均値の経時変化を示す第一グラフと前記第二時間平均値の経時変化を示す第二グラフを表示するためのデータを出力するステップと、
を含んでいる、
生体情報表示用データの出力方法。
【発明の詳細な説明】
【技術分野】
【０００１】
本発明は、被検者の生体情報を表示するための装置、および当該生体情報を表示するためのデータを出力する方法に関連する。
【背景技術】
【０００２】
特許文献１は、この種の装置を開示している。当該装置においては、様々な被検者の生体情報が、数値として表示される。一般に、表示される数値は、経時変化する生体情報の値に対して所定時間にわたる時間平均化処理が行なわれた結果に対応している。
【先行技術文献】
【特許文献】
【０００３】
【特許文献１】特開２０１５−１０７２２９号公報
【発明の概要】
【発明が解決しようとする課題】
【０００４】
生体情報の値の経時変化の大きさは、生体情報の不安定さ（すなわち被検者の容体）を示す指標になりうる。しかしながら、時間平均化処理を経た表示値そのものから生体情報の経時変化の大きさ（表示値からのばらつきの大きさ）を知ることはできない。
【０００５】
本発明は、ユーザによる被検者の容体の正確な把握を支援することを目的とする。
【課題を解決するための手段】
【０００６】
上記の目的を達成するための一態様は、生体情報表示装置であって、
第一時間幅に基づいて被検者の生体情報の第一時間平均値を算出し、前記第一時間幅と異なる第二時間幅に基づいて当該生体情報の第二時間平均値を算出するプロセッサと、
前記第一時間平均値の経時変化を示す第一グラフと前記第二時間平均値の経時変化を示す第二グラフを表示するディスプレイと、
を備えている。
【０００７】
上記の目的を達成するための別態様は、生体情報表示用データの出力方法であって、
被検者の生体情報を取得するステップと、
第一時間幅に基づいて前記生体情報の第一時間平均値を算出するステップと、
前記第一時間幅と異なる第二時間幅に基づいて前記生体情報の第二時間平均値を算出するステップと、
前記第一時間平均値の経時変化を示す第一グラフと前記第二時間平均値の経時変化を示す第二グラフを表示するためのデータを出力するステップと、
を含んでいる。
【０００８】
上記のような構成によれば、ユーザは、被検者から取得された同一の生体情報について異なる時間幅に基づいて算出された複数の時間平均値の経時変化をディスプレイで確認できる。より短い時間幅に基づいて算出された時間平均値の経時変化を示すグラフは、取得された生体情報のばらつきをより強く反映する。したがって、第一グラフと第二グラフの一致性が低ければ、被検者の生体情報が不安定であることが示唆される。すなわち、ユーザは、ディスプレイを通じて被検者の生体情報の時間平均値だけでなく、生体情報の安定性も把握できる。これにより、ユーザによる被検者の容体の正確な把握を支援できる。
【図面の簡単な説明】
【０００９】
【図１】一実施形態に係るパルスオキシメータの機能構成を示している。
【図２】図１のパルスオキシメータにより行なわれる処理の流れを示している。
【図３】図１のパルスオキシメータのディスプレイにおける表示例を示している。
【図４】図１のパルスオキシメータのディスプレイにおける表示例を示している。
【発明を実施するための形態】
【００１０】
添付の図面を参照しつつ、実施形態の例を以下詳細に説明する。図１は、一実施形態に係るパルスオキシメータ１の機能構成を示している。
【００１１】
パルスオキシメータ１は、入力インターフェース１１、プロセッサ１２、ディスプレイ１３、およびバス１４を備えている。バス１４は、入力インターフェース１１、プロセッサ１２、およびディスプレイ１３の間で信号やデータのやり取りを可能にするように、これらの要素を相互に接続している。
【００１２】
不図示のプローブが被検者の指先や耳朶に装着される。プローブは、発光部と受光部を備えている。発光部は、赤色光と赤外光を出射する。受光部は、プローブの装着部位を透過または反射した赤色光と赤外光の光量に応じた信号を出力する。当該信号は、入力インターフェース１１に入力される。入力インターフェース１１は、入力された信号を、図２に示される処理をプロセッサ１２が実行可能なデータへ変換しうる適宜の回路構成を備えている。
【００１３】
プロセッサ１２は、入力インターフェース１１を通じて入力されたデータに基づいて、少なくとも被検者の経皮的動脈血酸素飽和度（ＳｐＯ２）を算出する（ＳＴＥＰ１）。ＳｐＯ２の算出手法自体は周知であるので、詳細な説明は省略する。ＳｐＯ２は生体情報の一例であり、ＳｐＯ２の算出は生体情報の取得の一例である。ＳｐＯ２の算出は、所定時間ごとに行なわれる。所定時間は、例えば１秒である。
【００１４】
プロセッサ１２は、ＳｐＯ２が算出される度に、第一時間幅Ｔ１に基づいてＳｐＯ２の第一時間平均値Ａ１を算出する（ＳＴＥＰ２）。具体的には、現在時刻から第一時間幅Ｔ１だけ遡る期間内に算出された複数のＳｐＯ２の値の平均値が算出される。第一時間幅Ｔ１は、例えば１０秒である。経時変化するＳｐＯ２をｆ（ｔ）と表記した場合、現在時刻ｔ０における第一時間平均値Ａ１（ｔ０）は、次式で表されうる。
【００１５】
【数１】
2020014665.tif 000003
【００１６】
また、プロセッサ１２は、ＳｐＯ２が算出される度に、第二時間幅Ｔ２に基づいてＳｐＯ２の第二時間平均値Ａ２を算出する（ＳＴＥＰ３）。具体的には、現在時刻から第二時間幅Ｔ２だけ遡る期間内に算出された複数のＳｐＯ２の値の平均値が算出される。第二時間幅Ｔ２は、第一時間幅Ｔ１と異なる。第二時間幅Ｔ２は、例えば３秒である。経時変化するＳｐＯ２をｆ（ｔ）と表記した場合、現在時刻ｔ０における第二時間平均値Ａ２（ｔ０）は、次式で表されうる。
【００１７】
【数２】
2020014665.tif 000004
【００１８】
ＳＴＥＰ２とＳＴＥＰ３は、逆順で行なわれてもよいし、同時に行なわれてもよい。
【００１９】
続いてプロセッサ１２は、ＳｐＯ２の第一時間平均値Ａ１と第二時間平均値Ａ２をディスプレイ１３に表示するためのデータを出力する。ディスプレイ１３は、プロセッサ１２から出力されたデータに基づいて、第一時間平均値Ａ１と第二時間平均値Ａ２を表示する（ＳＴＥＰ４）。
【００２０】
例えば、第一時間平均値Ａ１と第二時間平均値Ａ２の各々は、図３に示されるグラフ上の点として表示される。図３において、第一時間平均値Ａ１は黒い丸で表わされており、第二時間平均値Ａ２は白い正方形で表わされている。
【００２１】
処理はＳＴＥＰ１へ戻り、上記の処理が周期的に繰り返される。結果として、図３に示されるように、第一時間平均値Ａ１の経時変化を示す第一グラフＧ１と第二時間平均値Ａ２の経時変化を示す第二グラフＧ２が、ディスプレイ１３に表示される。なお、少なくとも最新の第一時間平均値Ａ１は、数値としても表示されうる。
【００２２】
このような構成によれば、ユーザは、同一の被検者から取得されたＳｐＯ２について異なる時間幅に基づいて算出された複数の時間平均値の経時変化をディスプレイ１３で確認できる。より短い第二時間幅Ｔ２に基づいて算出された第二時間平均値Ａ２の経時変化を示す第二グラフＧ２は、取得されたＳｐＯ２のばらつきをより強く反映する。したがって、第一グラフＧ１と第二グラフＧ２の一致性が低ければ、被検者のＳｐＯ２が不安定であることが示唆される。例えば図３に示される例においては、時間が経過するに連れて第一グラフＧ１と第二グラフＧ２の一致性が高くなっている。したがって、被検者のＳｐＯ２が徐々に安定していることが判る。
【００２３】
すなわち、ユーザは、ディスプレイ１３を通じて被検者のＳｐＯ２の時間平均値だけでなく、ＳｐＯ２の安定性も把握できる。これにより、ユーザによる被検者の容体の正確な把握を支援できる。
【００２４】
図４に示されるように、第一グラフＧ１と第二グラフＧ２の間に位置する領域が、ディスプレイ１３の背景色と異なる色で表示されてもよい。
【００２５】
このような構成によれば、異なる色で表示された領域の面積が大きいほど、第一グラフＧ１と第二グラフＧ２の不一致性が高く、ＳｐＯ２の値が不安定であることが判る。したがって、被検者の容体変化をより直感的に把握できる。
【００２６】
これまでに説明したプロセッサ１２の機能は、メモリと協働して動作する汎用マイクロプロセッサにより実現されてもよいし、マイクロコントローラ、ＦＰＧＡ、ＡＳＩＣなどの専用集積回路によって実現されてもよい。
【００２７】
上記の実施形態は、本発明の理解を容易にするための例示にすぎない。上記の実施形態に係る構成は、本発明の趣旨を逸脱しなければ、適宜に変更・改良されうる。
【００２８】
上記の実施形態においては、第一時間平均値Ａ１と第二時間平均値Ａ２の各々は、単純平均値として算出されている。しかしながら、第一時間平均値Ａ１と第二時間平均値Ａ２の少なくとも一方は、現在時刻から対応する時間幅だけ遡る期間内に取得された複数のＳｐＯ２の値の中間値や最頻値として取得されてもよい。
【００２９】
上記の実施形態においては、第一グラフと第二グラフは、ディスプレイ上に表示されている。しかしながら、第一グラフと第二グラフは、紙に出力（印刷）されてもよい。あるいは、第一グラフと第二グラフを表示するためのデータがスマートフォンなどの外部機器に出力されうる。これにより、第一グラフと第二グラフは、外部機器のディスプレイ上で確認されうる。
【００３０】
上記の実施形態を参照して説明した構成は、被検者から取得可能であり経時変化を伴う任意の生体情報に対して適用可能である。
【符号の説明】
【００３１】
１：パルスオキシメータ、１２：プロセッサ、１３：ディスプレイ、Ａ１：第一時間平均値、Ａ２：第二時間平均値、Ｇ１：第一グラフ、Ｇ２：第二グラフ
【図１】
2020014665.tif 000005
【図２】
2020014665.tif 000006
【図３】
2020014665.tif 000007
【図４】
2020014665.tif 000008